(57)【要約】【課題】  嵩張りを抑えて、輸送にかかるコストを低減できるとともに省スペースで保管することができ、本体を折り畳み可能に構成して組み立て・分解が容易にできる。【解決手段】  折り畳み可能な矩形筒状の本体１０と、本体１０の上端開口を閉塞する屋根２とを備え、本体１０が、扉１４を有する前面板１１と、後面板２２と、前面板１１と後面板２２とを近接させるように折れ曲がる一対の側面板３０，３０とを具備し、側面板３０が、中央支柱３３と、前面板１１に連結固定された前側支柱３１と、一方の側端部が前側支柱３１と回動自在に連結されるとともに他方の側端部が中央支柱３３と回動自在に連結される前側板材３２と、後面板２２に連結固定された後側支柱３５と、一方の側端部が中央支柱３３と回動自在に連結されるとともに他方の側端部が後側支柱３５と回動自在に連結される後側板材３４とで構成される。【選択図】    図１
2006177105.tif 000002
【特許請求の範囲】
【請求項１】
折り畳み可能な矩形筒状の本体と、前記本体の上端開口を閉塞する屋根とを備え、
前記本体が、開閉自在の扉を有する前面板と、後面板と、前記前面板と前記後面板とを近接させるように折れ曲がる一対の側面板とを具備することを特徴とする組立式トイレボックス。
【請求項２】
前記本体を折り畳んだ状態で、前記一対の側面板は、その折曲部分が前記本体の内方に突出することを特徴とする請求項１記載の組立式トイレボックス。
【請求項３】
前記側面板は、中央支柱と、
前記前面板に連結固定された前側支柱と、
一方の側端部が前記前側支柱と回動自在に連結されるとともに他方の側端部が前記中央支柱と回動自在に連結される前側板材と、
前記後面板に連結固定された後側支柱と、
一方の側端部が前記中央支柱と回動自在に連結されるとともに他方の側端部が前記後側支柱と回動自在に連結される後側板材とを具備することを特徴とする請求項１又は２記載の組立式トイレボックス。
【請求項４】
前記側面板は、前後方向における両側端部に回動規制用の開口が形成された略Ｃ字状の内面をなし且つ上下方向に長い外側ヒンジ部が設けられた中央支柱と、
前記前面板に連結固定され、前記後面板を向いた一端部に回動規制用の開口が形成された略Ｃ字状の内面をなし且つ上下方向に長い外側ヒンジ部が設けられた前側支柱と、
前記外側ヒンジ部内に挿入可能な内側ヒンジ部が両側端部に設けられ、一方の側端部が前記前側支柱の前記外側ヒンジ部に連結されるとともに他方の側端部が前記中央支柱の前記外側ヒンジ部に連結される前側板材と、
前記後面板に連結固定され、前記前面板を向いた一端部に回動規制用の開口が形成された略Ｃ字状の内面をなし且つ上下方向に長い外側ヒンジ部が設けられた後側支柱と、
前記外側ヒンジ部内に挿入可能な内側ヒンジ部が両側端部に設けられ、一方の側端部が前記中央支柱の前記外側ヒンジ部に連結されるとともに他方の側端部が前記後側支柱の前記外側ヒンジ部に連結される後側板材とを具備し、
前記前側板材が前記前側支柱及び前記中央支柱に対して９０度の範囲で回動可能とされ、前記後側板材が前記中央支柱及び前記後側支柱に対して９０度の範囲で回動可能とされることを特徴とする請求項１又は２記載の組立式トイレボックス。
【請求項５】
前記前側支柱と前記後側支柱とは、前記前後方向において異なる幅に形成され、
前記一対の側面板が、互いに回転対称となって配設され、前記本体を折り畳んだ状態で内方に突出している互いの前記中央支柱が前記前後方向にずれることを特徴とする請求項３又は４又記載の組立式トイレボックス。
【請求項６】
前記本体を矩形筒状に拡げた状態で、前記一対の側面板のそれぞれの上端縁に沿って前期前後方向に延びる断面略コ字状の補強部材が取り付けられることを特徴とする請求項１〜５の何れか１つに記載の組立式トイレボックス。
【請求項７】
前記屋根は、前記本体にアイボルトで固定されることを特徴とする請求項１〜６の何れか１つに記載の組立式トイレボックス。
【発明の詳細な説明】
【技術分野】
【０００１】
本発明は、便器を覆い囲んで該便器を外部と遮断させるために設けられるトイレボックスに関し、組み立て・分解を繰り返すことができる組立式トイレボックスに関する。
【背景技術】
【０００２】
建設工事現場、屋外イベント会場、キャンプ場或いは災害時の避難場所などには仮設トイレが設置される。一般的に、仮設トイレとしては、金属又はプラスチックからなるボックス状のトイレ本体に入退室のためのドアが設けられ、トイレ本体の内部に便器が設置されているものが使用されている。なお、このような仮設トイレには、便器が下水道に接続されている下水道利用型、トイレ本体の底部に排泄物が貯留される貯留型などがある。
【０００３】
ところが、上述したような仮設トイレは、トイレ本体が一体的なボックス形状をなしているために嵩張り、例えば、１台のトラックで一度に輸送できる個数は少なくなる。そのため、輸送にかかるコストが割高となっていた。また、使用後、この仮設トイレを保管するためにかなりのスペースが占有されるという問題があった。
【０００４】
そこで、下記特許文献１に開示されるような組立式仮設トイレが提案されている。この仮設トイレは、六角形の底板と、六角形の天井板と、相互に枢支された５面の側壁板と、これら側壁板のうちの１つに枢支されたドアと、排泄物処理装置が付設された便器とを備えてなる。各側壁の下端及び上端が底板及び天井板の縁に形成された溝に嵌合されることで、各側壁は底板及び天井板に着脱自在に係止される。ここで、底板と、天井板と、各側壁（及びドア）とは六角柱状のトイレ室を形成し、このトイレ室の内部に便器が配置される。さらに、各側壁及びドアは上側部分と下側部分とに２分割された構成となっている。
【特許文献１】特開平９−４９３４０号公報
【発明の開示】
【発明が解決しようとする課題】
【０００５】
しかしながら、上記特許文献１に開示される組立式仮設トイレでは、トイレ室が板材で構成されていることから、不使用時にはトイレ室を分解してコンパクトにまとめることができ、輸送などにかかるコストを低減できるが、部品点数が多く、組み立てが煩雑であり、組み立て作業に時間がかかるという問題があった。
【０００６】
そこで本発明は、上記問題点を解消するために、嵩張りを抑えて、輸送にかかるコストを低減できるとともに省スペースで保管することができ、また、本体を折り畳み可能に構成したことにより、組み立て・分解が容易にできる組立式トイレボックスを提供することを目的とする。
【課題を解決するための手段】
【０００７】
次に、上記の課題を解決するための手段を、実施の形態に対応する図面を参照して説明する。
本発明の請求項１記載の組立式トイレボックスは、折り畳み可能な矩形筒状の本体１０と、前記本体１０の上端開口を閉塞する屋根２とを備え、
前記本体１０が、開閉自在の扉１４を有する前面板１１と、後面板２２と、前記前面板１１と前記後面板２２とを近接させるように折れ曲がる一対の側面板３０，３０とを具備することを特徴とする。
【０００８】
このような構成によれば、トイレボックス１を分解することで嵩張りを抑えることが可能となる。その際、本体１０が折り畳み可能に構成されていることにより、この本体１０を更に分解する必要はなく１つのユニットとしてコンパクトにすることができる。そして、本体１０は、前面板１１と後面板２２とを前後方向Ｙに互いに或いは何れか一方に引き寄せるだけの簡単な作業で折り畳むことができ、本体１０を矩形筒状に拡げるときには、近接している前面板１１と後面板２２とを前後方向Ｙに引き離すだけの簡単な作業で済む。
【０００９】
請求項２記載の組立式トイレボックスは、前記本体１０を折り畳んだ状態で、前記一対の側面板３０，３０は、その折曲部分が前記本体１０の内方に突出することを特徴とする。
【００１０】
このような構成によれば、本体１０を折り畳んだ状態で、側面板３０の折曲部分が前面板１１及び後面板２２の幅方向Ｘに突出して拡がることを防ぐことが可能となる。
【００１１】
請求項３記載の組立式トイレボックスは、前記側面板３０は、中央支柱３３と、
前記前面板１１に連結固定された前側支柱３１と、
一方の側端部が前記前側支柱３１と回動自在に連結されるとともに他方の側端部が前記中央支柱３３と回動自在に連結される前側板材３２と、
前記後面板２２に連結固定された後側支柱３５と、
一方の側端部が前記中央支柱３３と回動自在に連結されるとともに他方の側端部が前記後側支柱３５と回動自在に連結される後側板材３４とを具備することを特徴とする。
【００１２】
このような構成によれば、中央支柱３３の移動に連動して、前側板材３２と後側板材３４とが略Ｖ字状となって移動し、同時に、これら前側板材３２及び後側板材３４の移動に連動して、前側支柱３１及び後側支柱３５は前後方向Ｙに移動する。これにより、前側支柱３１と後側支柱３５とを近接或いは離隔させることが可能となる。
【００１３】
請求項４記載の組立式トイレボックスは、前記側面板３０は、前後方向Ｙにおける両側端部に回動規制用の開口４８が形成された略Ｃ字状の内面をなし且つ上下方向Ｚに長い外側ヒンジ部４６，４６が設けられた中央支柱３３と、
前記前面板１１に連結固定され、前記後面板２２を向いた一端部に回動規制用の開口４０が形成された略Ｃ字状の内面をなし且つ上下方向Ｚに長い外側ヒンジ部３６が設けられた前側支柱３１と、
前記外側ヒンジ部３６，４６内に挿入可能な内側ヒンジ部４３，４３が両側端部に設けられ、一方の側端部が前記前側支柱３１の前記外側ヒンジ部３６に連結されるとともに他方の側端部が前記中央支柱３３の前記外側ヒンジ部４６に連結される前側板材３２と、
前記後面板２２に連結固定され、前記前面板１１を向いた一端部に回動規制用の開口５８が形成された略Ｃ字状の内面をなし且つ上下方向Ｚに長い外側ヒンジ部５４が設けられた後側支柱３５と、
前記外側ヒンジ部４６，５４内に挿入可能な内側ヒンジ部５１，５１が両側端部に設けられ、一方の側端部が前記中央支柱３０の前記外側ヒンジ部４６に連結されるとともに他方の側端部が前記後側支柱３５の前記外側ヒンジ部５４に連結される後側板材３５とを具備し、
前記前側板材３２が前記前側支柱３１及び前記中央支柱３３に対して９０度の範囲で回動可能とされ、前記後側板材３４が前記中央支柱３３及び前記後側支柱３５に対して９０度の範囲で回動可能とされることを特徴とする。
【００１４】
このような構成によれば、中央支柱３３の移動に連動して、前側板材３２と後側板材３４とが中央支柱３０との連結部分（外側ヒンジ部４６及び内側ヒンジ部４３，５４）を９０度まで回動させて互いに対向或いは直列するまで移動し、同時に、前側板材３２と前側支柱３１との連結部分（外側ヒンジ部３６及び内側ヒンジ部４３）を９０度まで回動させるとともに、後側板材３４と後側支柱３５との連結部分（外側ヒンジ部５４及び内側ヒンジ部５１）を９０度まで回動させ、前側支柱３１及び後側支柱３５は前後方向Ｙに移動する。これにより、上記同様に、前側支柱３１と後側支柱３５とを近接或いは離隔させることが可能となる。
【００１５】
請求項５記載の組立式トイレボックスは、前記前側支柱３１と前記後側支柱３５とは、前記前後方向Ｙにおいて異なる幅に形成され、
前記一対の側面板３０，３０が、互いに回転対称となって配設され、前記本体１０を折り畳んだ状態で内方に突出している互いの前記中央支柱３３，３３が前記前後方向Ｙにずれることを特徴とする。
【００１６】
このような構成によれば、本体１０を折り畳んだ状態で、互いの中央支柱３３，３３同士が衝突することを防止することが可能となる。
【００１７】
請求項６記載の組立式トイレボックスは、前記本体１０を矩形筒状に拡げた状態で、前記一対の側面板３０，３０のそれぞれの上端縁に沿って前期前後方向Ｙに延びる断面略コ字状の補強部材８０が取り付けられることを特徴とする。
【００１８】
このような構成によれば、本体１０を矩形筒状に拡げた状態で、平板状になった側面板３０をその形状のまま固定することができる。これにより、本体１０を矩形筒状に維持することができる。
【００１９】
請求項７記載の組立式トイレボックスは、前記屋根２は、前記本体１０にアイボルト６で固定されることを特徴とする。
【００２０】
このような構成によれば、取り付けられたアイボルト６に、例えば、砂袋などをぶら下げたり、トイレボックス１の周りにポールを打ち付けてアイボルト６とポールとの間にロープを張ったりすることができるようになる。これにより、設置されたトイレボックス１をその位置に固定させることが可能となる。
【発明の効果】
【００２１】
本発明による請求項１記載の組立式トイレボックスによれば、輸送又は保管時にトイレボックスを分解することで嵩張りを抑えることが可能となる。その際、本体が折り畳み可能に構成されていることにより、この本体を更に分解する必要はなく１つのユニットとしてコンパクトにすることができる。そして、本体は、前面板と後面板とを前後方向に互いに或いは何れか一方に引き寄せるだけの簡単な作業で折り畳むことができ、本体を矩形筒状に拡げるときには、近接している前面板と後面板とを前後方向に引き離すだけで済むため、ボルトなどを付けたり外したりするような煩雑な作業が一切不要となる。
【００２２】
請求項２記載の組立式トイレボックスによれば、本体を折り畳んだ状態で、側面板の折曲部分が前面板及び後面板の幅方向に突出して拡がることを防ぐことが可能となる。したがって、折り畳んだ本体の幅方向のサイズを最小限に抑えることができる。
【００２３】
請求項３記載の組立式トイレボックスによれば、中央支柱の移動に連動して、前側板材と後側板材とが移動し、同時に、これら前側板材及び後側板材の移動に連動して、前側支柱及び後側支柱は前後方向に移動する。これにより、前側支柱と後側支柱とを近接或いは離隔させることができる。
【００２４】
請求項４記載の組立式トイレボックスによれば、中央支柱の移動に連動して、前側板材と後側板材とが中央支柱との連結部分を９０度まで回動させて互いに対向或いは直列するまで移動し、同時に、前側板材と前側支柱との連結部分を９０度まで回動させるとともに、後側板材と後側支柱との連結部分を９０度まで回動させ、前側支柱及び後側支柱は前後方向に移動する。これにより、上記した請求項３記載の組立式トイレボックスの効果と同様に、前側支柱と後側支柱とを近接或いは離隔させることができる。
【００２５】
請求項５記載の組立式トイレボックスによれば、本体を折り畳んだ状態で、互いの中央支柱同士が衝突することを防止できる。したがって、本体が前後方向に長い構成であっても折り畳むことが可能となる。すなわち、本体を様々なサイズに形成することができるようになる。
【００２６】
請求項６記載の組立式トイレボックスによれば、本体を矩形筒状に拡げた状態で、側面板をその形状のまま固定することができ、本体を矩形筒状に維持することが可能となる。したがって、組み立てたトイレボックスを安定させることができる。
【００２７】
請求項７記載の組立式トイレボックスによれば、取り付けられたアイボルトに、例えば、砂袋などをぶら下げたり、トイレボックス周りにポールを打ち付けてアイボルトとポールとの間にロープを張ったりすることができるようになる。これにより、設置されたトイレボックスをその位置に固定させることができる。
【発明を実施するための最良の形態】
【００２８】
以下、本発明の実施の形態を図面を参照して具体的に説明する。
図１は本発明による組立式トイレボックスの一実施の形態を示す斜視図、図２は同正面図、図３は同背面図、図４は同右側面図（一部断面）、図５（ａ），（ｂ）は錠付き把手部を示す斜視図、図６は一対の側面板を拡げた状態を示す模式的な平断面図、図７は一対の側面板を折り畳んだ状態を示す模式的な平断面図、図８は取り付け棚の取り付けを示す斜視図、図９はトイレボックスを分解する状態を示す斜視図、図１０は本体を折り畳む途中を示す斜視図、図１１は本体を折り畳んだ状態を示す斜視図である。
【００２９】
この実施の形態の組立式トイレボックス１は、所定位置に設けられた便器Ｔ（図４参照）の周りを覆い囲んで設置され、屋根２と、折り畳み可能な本体１０とで略構成され、また、このトイレボックス１は組み立て・分解可能に構成されている。
【００３０】
まず最初に、この組立式トイレボックス１と共に仮設トイレをなす便器について説明する。図４に示すように、本実施の形態では、便器Ｔが下水道Ｗに接続されている下水道利用型が使用されている。
【００３１】
図１に示すように、屋根２は、略矩形の天板３と、天板３の３辺（幅方向Ｘの対向する２辺及び前後方向Ｙの後側１辺）が下方に屈曲して形成された２つの側板４，４及び後板５（図３参照）とで構成されている。２つの側板４，４にはそれぞれアイボルト６が取り付けられるネジ孔７が穿設され、このネジ孔７が設けられた位置に相当する屋根２の内側面には断面略Ｌ字状に屈曲形成された取り付けプレート８が設けられている。本実施の形態では、屋根２にはプラスチック段ボールが使用されている。
【００３２】
図１〜７に示すように、本体１０は折り畳みが可能な矩形筒状に形成され、前面板１１と、後面板２２と、一対の側面板３０，３０とで構成されている。
【００３３】
図２に示すように、前面板１１は、フレーム１２と、上部パネル１３と、扉１４とで構成され、後述する一対の側面板３０，３０の前側支柱３１，３１の間に設けられている。
【００３４】
フレーム１２は、前面板１１の上部及び下部に設けられ、前側支柱３１，３１を幅方向Ｘに連結している。なお、前面板１１の上部には２本のフレーム１２，１２が設けられ、下部には１本のフレーム１２が設けられ、各フレーム１２と前側支柱３１との連結部分には略Ｌ字状の補強プレート１５が取り付けられている。
【００３５】
上部パネル１３は、前面板１１の上部を形成し、幅方向Ｘの両端縁が後述する前側支柱３１の溝部３７に嵌入されるとともに、前記上部のフレーム１２，１２に上下が挟まれて保持されている。
【００３６】
扉１４は、幅方向Ｘの一方端縁が一対の側面板３０，３０のうち何れか一方の前側支柱３１の溝部３７に嵌入され、この一方端縁側を開閉軸１６として開閉自在に形成されている。本実施の形態では、扉１４の開閉軸１６には折り曲げ式のＰＰ（ポリプロピレン樹脂）ヒンジが採用されている。また、図５に示すように、扉１４には錠付きの把手部１７が設けられている。この錠付き把手部１７は錠１８と、把手２０とを備えている。錠１８にはスライド式のものが使用され、扉１４の内側からの操作でデッドボルトが幅方向Ｘに出没して扉１８の施解錠を行い、さらに、表示部１９の表示状態（色彩など）が変わることで扉１４の施解錠状態を外部に認知させる。把手２０は、略コ字状に形成され、その端部が孔２１に挿入されて扉１４の表面に対して出没可能に設けられている。
【００３７】
図３に示すように、後面板２２は、フレーム２３と、パネル２４とで構成され、上述した前面板１１と前後方向Ｙに対向して設けられるとともに、後述する一対の側面板３０，３０の後側支柱３５，３５の間に設けられている。
【００３８】
フレーム２３は、後面板２２の上部及び下部に設けられ、後側支柱３５，３５を幅方向Ｘに連結している。なお、後面板２２の上部及び下部にはフレーム２３が１本ずつ設けられている。
【００３９】
パネル２４は、幅方向Ｘの両端縁が後述する後側支柱３５の溝部５５に嵌入され、前記フレーム２３，２３に上下を挟まれて保持されている。この後面板２２の高さは前面板１１や側面板よりも低く形成され、トイレボックス１を組み立てたときに開口２５となり、トイレボックス１を使用する際には換気口となる。なお、このトイレボックス１を組み立てた状態では、屋根２の後板５によって開口２５からボックス１内が覗かれることを防止している。
【００４０】
図６，７に示すように、前述した一対の側面板３０，３０は、前側支柱３１と、前側板材３２と、中央支柱３３と、後側板材３４と、後側支柱３５とで構成され、幅方向Ｘに対向して配設されている。
【００４１】
前側支柱３１は、前面板１１の左右に設けられ、後面板２２を向いた一端部に外側ヒンジ部３６が設けられ、且つ他端部に溝部３７が設けられている。外側ヒンジ部３６と溝部３７とは矩形板３８によって連結されるとともに、外側ヒンジ部３６、溝部３７及び矩形板３８は一体的に形成されている。外側ヒンジ部３６は、両端面３９，３９の間が９０度に開いた回動規制用の開口４０が形成された略Ｃ字状の内面を有し、且つ上下方向Ｚ（図１，４参照）に長く形成されている。溝部３７は、断面略コ字状に形成され、前述したように前面板１１の幅方向Ｘの両端縁が嵌入されて前側支柱３１と前面板１１とは連結固定される。
【００４２】
前側板材３２は、周縁にフレーム４１が設けられた矩形パネル４２の両側端部に内側ヒンジ部４３が設けられている。内側ヒンジ部４３は、略矩形板状の規制部４４の一端部に略円筒状の軸部４５が設けられてなり、前側板材３２の両側端部に位置するフレーム４１，４１の側端面に設けられている。なお、規制部４４と軸部４５とは一体的に形成されるとともに、上下方向Ｚ（図１，４参照）に長く形成されている。また、軸部４５は、その外径寸法が前側支柱３１の外側ヒンジ部３６の内面内を回動可能となるように形成されている。さらに、図４に示すように、前側板材３２の内側面には一方フレーム４１から他方フレーム４１にかけて略矩形状の保持プレート６０が両端部をフレーム４１，４１に固着させて設けられている。この保持プレート６０には、例えば、ペーパーホルダーＰなどの付属品が取り付けられる。
【００４３】
中央支柱３４は、前後方向Ｙにおける両側端部にそれぞれ外側ヒンジ部４６，４６が設けられ、外側ヒンジ部４６，４６同士が一体的に連結された構成となっている。また、外側ヒンジ部４６は、両端面４７，４７の間が９０度に開いた回動規制用の開口４８が形成された略Ｃ字状の内面が形成されている。なお、この中央支柱３４は上下方向Ｚ（図１，４参照）に長く形成されている。
【００４４】
後側板材３４は、周縁にフレーム４９が設けられた矩形パネル５０の両側端部に内側ヒンジ部５１が設けられている。内側ヒンジ部５１は、略矩形板状の規制部５２の一端部に略円筒状の軸部５３が設けられてなり、後側板材３４の両側端部に位置するフレーム４９，４９の側端面に設けられている。なお、規制部５２と軸部５３とは一体的に形成されるとともに、上下方向Ｚ（図１，４参照）に長く形成されている。また、軸部５３は、その外径寸法が後述する後側支柱の外側ヒンジ部の内面内を回動可能となるように形成されている。さらに、図４に示すように、後側板材３４の内側面には一方フレーム４９から他方フレーム４９にかけて略矩形状の保持プレート６１が両端部をフレーム４９，４９に固着させて設けられている。
【００４５】
前述した後側支柱３５は、後面板２２の左右に設けられ、前面板１１を向いた一端部に外側ヒンジ部５４が設けられ、且つ他端部に溝部５５が設けられている。外側ヒンジ部５４と溝部５５とは矩形板５６によって連結されるとともに、外側ヒンジ部５４、溝部５５及び矩形板５６は一体的に形成されている。外側ヒンジ部５４は、両端面５７，５７の間が９０度に開いた回動規制用の開口５８が形成された略Ｃ字状の内面を有し、且つ上下方向Ｚ（図１，４参照）に長く形成されている。溝部５５は、断面略コ字状に形成され、前述したように後面板２２の幅方向Ｘの両端縁が嵌入されて後側支柱３５は後面板２２に連結固定される。
なお、この後側支柱３５と前記前側支柱３１とは、前後方向Ｙに異なる幅に形成されている。すなわち、何れか一方は前後方向Ｙに短く、他方はやや長い構成となっている。
【００４６】
図６，７に示すように、前側板材３２は、前側支柱３１及び中央支柱３３に対して、外側ヒンジ部３６，４６の内面内に内側ヒンジ部４３の軸部４５が挿入されることで回動自在に連結される。ここで、外側ヒンジ部３６，４６及び内側ヒンジ部４３による各連結部分は、水平面内において９０度の範囲で回動可能となっている。
更に、後側板材３４は、中央支柱３３及び後側支柱３５に対して、外側ヒンジ部４６，５４の内面内に内側ヒンジ部５１の軸部５３が挿入されることで回動自在に連結される。ここで、外側ヒンジ部４６，５４及び内側ヒンジ部５１による各連結部分は、水平面内において９０度の範囲で回動可能となっている。つまり、前側支柱３１、前側板材３２、中央支柱３３、後側板材３４及び後側支柱３５はそれぞれ順に回動自在に連結される。
【００４７】
以上説明した組立式トイレボックス１は、拡げた状態で、本体１０が矩形筒状を形成し、屋根２によって上端開口が閉塞される。また、本体１０を前後方向Ｙに折り畳んでコンパクトにすることが可能に構成されている。
【００４８】
さらに、図７に示すように、本体１０を折り畳んだ状態で、一対の側面板３０，３０は、左右のうち何れか一方に対して他方は水平面内において１８０度の回転対称となって配設されるとともに、本体１０を折り畳んだ状態で、突出する互いの中央支柱３３，３３が前後方向Ｙにずれて衝突しないように配設されている。
【００４９】
ここまで、本実施の形態の組立式トイレボックス１の主要構成部を説明したが、本実施の形態では、このトイレボックス１を構成している各パネル１３，２４，４２，５０には有色のプラスチック段ボールが使用されている。これにより、トイレボックス１使用時に、内部の様子（シルエットなど）が外部から見えてしまうことを防止できる。また、トイレボックス１を丈夫で軽量に構成できる。さらに、各フレーム１２，２３，４１，４９にはアルミニウムなどの軽金属が使用されている。これにより、上記同様に、トイレボックス１を丈夫で軽量に構成できる。
【００５０】
図８に示すように、取り付け棚７０は、略矩形の板体からなり、幅方向Ｘにおける両端縁が屈曲されて側板７１が形成されている。この取り付け棚７０は、側板７１を保持プレート６１と後側板材３４の内側面との間に挿入して取り付けられる。なお、取り付け棚７０が一対の側面板３０，３０間に介在していることによって本体１０は幅方向Ｘに補強される。
【００５１】
図９に示すように、補強部材８０は、断面略コ字状に形成され、前後方向Ｙに長く形成されている。なお、補強部材８０の長さは、前記側面板１１の前後方向Ｙの長さよりやや短い構成となっている。この補強部材８０が取り付けられることによって側面板３０の折れ曲がりを防止できる。
【００５２】
ここから、図９〜１１を参照して、本実施の形態の組立式トイレボックス１を組み立てた状態から分解して、更に本体１０を折り畳むまでの手順について説明する。
まず、図９に示すように、屋根２を固定しているアイボルト６を外して、本体１０から屋根２を取り外す。
次に、本体１０から補強部材８０及び取り付け棚７０を取り外す。
次に、図１０に示すように、前面板１１と後面板２２とを互いに或いは何れか一方を前後方向Ｙに引き寄せる。
最後に、図１１に示すように、一対の側面板３０，３０の前側支柱３１と後側支柱３５とを近接させ、つまり、前面板１１と後面板２２とを近接させ、把手部１７の把手２０を前面板１１側に引っ込めて本体１０をコンパクトに折り畳む作業が完了する。そして、これらの屋根２、折り畳んだ本体１０及びその他の付属品などを一括して段ボール箱などに収納する。
【００５３】
なお、この組立式トイレボックス１を組み立てる場合は、上述した手順を逆から行えばよい。
【００５４】
なお、本実施の形態では、組立式トイレボックス１と共に仮設トイレを構成している便器Ｔは下水道Ｗに接続されている下水道利用型を使用しているが、トイレボックス１の底部に排泄物を貯留する貯留槽が設けられた貯留型や折り畳み式で持ち運び可能な簡易便器などであってもよい。
【００５５】
この実施の形態によれば、輸送又は保管時にトイレボックス１を分解することで嵩張りを抑えることが可能となる。その際、本体１０が折り畳み可能に構成されていることにより、この本体１０を更に分解する必要はなく１つのユニットとしてコンパクトにすることができる。そして、本体１０は、前面板１１と後面板２２とを前後方向Ｙに互いに或いは何れか一方に引き寄せるだけの簡単な作業で折り畳むことができ、本体１０を矩形筒状に拡げるときには、近接している前面板１１と後面板２２とを前後方向Ｙに引き離すだけで済むため、ボルトなどを付けたり外したりするような煩雑な作業が一切不要となる。
【００５６】
また、本体１０を折り畳んだ状態で、側面板３０の折曲部分（中央支柱３３）が前面板１１及び後面板２２の幅方向Ｘに突出して拡がることを防ぐことが可能となる。したがって、折り畳んだ本体１０の幅方向のサイズを最小限に抑えることができる。
【００５７】
さらに、中央支柱３３の移動に連動して、前側板材３２と後側板材３４とが中央支柱３０との連結部分（外側ヒンジ部４６及び内側ヒンジ部４３，５４）を９０度まで回動させて互いに対向或いは直列するまで移動し、同時に、前側板材３２と前側支柱３１との連結部分（外側ヒンジ部３６及び内側ヒンジ部４３）を９０度まで回動させるとともに、後側板材３４と後側支柱３５との連結部分（外側ヒンジ部５４及び内側ヒンジ部５１）を９０度まで回動させ、前側支柱３１及び後側支柱３５は前後方向Ｙに移動する。これにより、上記同様に、前側支柱３１と後側支柱３５とを近接或いは離隔させることが可能となる。
【００５８】
また、例えば、側面板３０が前後方向Ｙに長い構成であっても、本体１０を折り畳んだ状態で、互いの中央支柱３３，３３同士が衝突することを防止できる。したがって、本体１０が前後方向Ｙに長い構成であっても折り畳むことが可能となる。すなわち、本体１０を用途に応じた様々なサイズに形成することができるようになる。
【００５９】
さらに、本体１０を矩形筒状に拡げた状態で、平板状になった側面板３０をその形状のまま固定することができる。これにより、本体１０を矩形筒状に維持することができ、組み立てたトイレボックス１を安定させることができる。
【００６０】
また、取り付けられたアイボルト６に、例えば、砂袋などをぶら下げたり、トイレボックス１の周りにポールを打ち付けてアイボルト６とポールとの間にロープを張ったりすることができるようになる。これにより、設置されたトイレボックス１をその位置に固定させることが可能となる。
【図面の簡単な説明】
【００６１】
【図１】本発明による組立式トイレボックスの一実施の形態を示す斜視図である。
【図２】本発明による組立式トイレボックスの一実施の形態を示す正面図である。
【図３】本発明による組立式トイレボックスの一実施の形態を示す背面図である。
【図４】本発明による組立式トイレボックスの一実施の形態を示す右側面図（一部断面）である。
【図５】（ａ）本発明による組立式トイレボックスの一実施の形態を構成する錠付き把手部を示す斜視図である。  （ｂ）本発明による組立式トイレボックスの一実施の形態を構成する錠付き把手部を示す斜視図である。
【図６】本発明による組立式トイレボックスの一実施の形態を構成する一対の側面板を拡げた状態を示す平断面図である。
【図７】本発明による組立式トイレボックスの一実施の形態を構成する一対の側面板を折り畳んだ状態を示す平断面図である。
【図８】本発明による組立式トイレボックスの一実施の形態を構成する取り付け棚を保持プレートに取り付けている状態を示す斜視図である。
【図９】本発明による組立式トイレボックスの一実施の形態を分解した状態を示す斜視図である。
【図１０】本発明による組立式トイレボックスの一実施の形態を構成する本体を折り畳む途中の状態を示す斜視図である。
【図１１】本発明による組立式トイレボックスの一実施の形態を構成する本体を折り畳んだ状態を示す斜視図である。
【符号の説明】
【００６２】
１…組立式トイレボックス
２…屋根
６…アイボルト
１０…本体
１１…前面板
２２…後面板
３０…側面板
３１…前側支柱
３２…前側板材
３３…中央支柱
３４…後側板材
３５…後側支柱
３６，４６，５４…外側ヒンジ部
４０…開口
４３，５１…内側ヒンジ部
４８，５８…開口
８０…補強部材
Ｙ…前後方向
Ｚ…上下方向
【図１】
2006177105.tif 000003
【図２】
2006177105.tif 000004
【図３】
2006177105.tif 000005
【図４】
2006177105.tif 000006
【図５】
2006177105.tif 000007
【図６】
2006177105.tif 000008
【図７】
2006177105.tif 000009
【図８】
2006177105.tif 000010
【図９】
2006177105.tif 000011
【図１０】
2006177105.tif 000012
【図１１】
2006177105.tif 000013